(57)【要約】      （修正有）【課題】正常走行及び運転安全を確保できる軌道式両用足踏み交通乗物を提供する。【解決手段】交通乗物１０を備え、交通乗物１０において、車台２０上にいくつかの座席２１が設けられ、車台２０の下方に枢設される前、後輪軸は、連通式輪軸を採用し、前、後輪軸上に計４個の軌道輪２４が設けられ、前輪軸が、いくつかの第１チェーンホイールセット２２１を介していくつかの第１足踏み装置２５に連結され、後輪軸が、いくつかの第２チェーンホイールセット２３１を介していくつかの第２足踏み装置２６に連結される。車台２０の下方に昇降回転盤セットが設けられ、昇降回転盤セットの底面にシャーシが設けられる。発電機は、単一方向軸受チェーンホイールセットを介して前輪軸に連結され、動力モータ５０は、第３チェーンホイールセット５１を介して後輪軸に連結され、電池は、動力モータ５０及び発電機に電気的に接続される。【選択図】図１
0003223569.tif 000002
【実用新案登録請求の範囲】
【請求項１】
交通乗物を備える軌道式両用足踏み交通乗物であって、前記交通乗物において、車台上にいくつかの座席が設けられ、前記車台の下方に枢設される前、後輪軸は、連通式輪軸を採用し、前記前、後輪軸上に計４個の軌道輪が設けられ、前記前輪軸が、いくつかの第１チェーンホイールセットを介していくつかの第１足踏み装置に連結され、前記後輪軸が、いくつかの第２チェーンホイールセットを介していくつかの第２足踏み装置に連結され、前記車台の下方に昇降回転盤セットが設けられ、前記昇降回転盤セットの底面にシャーシが設けられ、前記シャーシの幅が軌道上に丁度当接し得る程度の幅であり、発電機は、単一方向軸受チェーンホイールセットを介して前記前輪軸に連結され、動力モータは、第３チェーンホイールセットを介して前記後輪軸に連結され、電池は、前記動力モータ及び前記発電機に電気的に接続され、前記車台には前記シャーシに向けて４本の支柱エアバッグが設けられ、前記４本の支柱エアバッグは、前記シャーシを支持収合するために用いられ、前記４本の支柱エアバッグは、弾性疲労の問題がなく、長時間使用に適合され、かつ損壊しにくく、前記前、後輪軸の間を動力連結する前、後軸動力駆動装置が設けられることで、傾斜度が高い前記軌道上に適用され、前記昇降回転盤セットの昇降位置に複数個の昇降及び落下防止檢知が設けられることで、前記昇降回転盤セットが最上端または最下端に到達した時、あるいは前記シャーシが落下する時に断電するように制御し、前記車台の四辺角部にそれぞれ軌道合致探知器が設けられ、前記交通乗物の方向転換後に、前記４個の軌道輪を正確な角度に沿って２本の前記軌道上に下降させることが確保され、正常走行及び運転安全を確保できることを特徴とする、軌道式両用足踏み交通乗物。
【請求項２】
前記車台の両側にそれぞれ踏台が設けられ、前記踏台を介して人員が前記交通乗物から進出するのに役立てることを特徴とする、請求項１に記載の軌道式両用足踏み交通乗物。
【請求項３】
前記踏台の底面に脱線位置制限器が設けられ、前記脱線位置制限器は、角棒形状に形成されると共に、前記踏台の底平面から突出していることを特徴とする、請求項２に記載の軌道式両用足踏み交通乗物。
【請求項４】
前記電池に放電装置が電気的に接続され、前記電池の満充電後に、前記放電装置から放電を行うことで、前記電池の過負荷による断電を防止することを特徴とする、請求項１に記載の軌道式両用足踏み交通乗物。
【請求項５】
前記前、後軸動力駆動装置は、第１軸と、第２軸と、前記第１軸上に組み付けられて前記前輪軸と連結される第４チェーンホイールセットと、前記第２軸上に組み付けられて前記後輪軸と連結される第５チェーンホイールセットと、前記第１軸と前記第２軸とを相互に連結して設けられる第６チェーンホイールセットとを含み、前記第６チェーンホイールセットの設置により、前記昇降回転盤セットの位置から回避されることを特徴とする、請求項１に記載の軌道式両用足踏み交通乗物。
【請求項６】
前記車台上に制御ハンドルが装着されることを特徴とする、請求項１に記載の軌道式両用足踏み交通乗物。
【請求項７】
前記車台の上方に遮蔽幌が装着されることを特徴とする、請求項１に記載の軌道式両用足踏み交通乗物。
【請求項８】
前記車台と前記昇降回転盤セットとの間に、前記車台が歪む時、警報を提示させる歪み検知が設けられることを特徴とする、請求項１に記載の軌道式両用足踏み交通乗物。
【考案の詳細な説明】
【技術分野】
【０００１】
本考案は、交通乗物の技術分野を提供し、特に、その技術上、前、後軸で交通乗物を駆動することができると共に、いくつかの安全検知が設けられることにより、交通乗物の使用安全性に役立つ軌道式両用足踏み交通乗物を提供するものである。
【背景技術】
【０００２】
鉄道線路の傾斜度は国ごとに異なり、鉄道線路の傾斜度が比較的に小さい国では、単に１本の軸による伝動で交通乗物を正常に移動させることができるが、単軸伝動の交通乗物を鉄道線路の傾斜度が比較的に大きい国に移せば、動力不足の場合がある。また、鉄道線路の交通乗物は、例えば、昇降回転盤セットの重さをばねで支承し、そのばねには、弾性疲労の問題を有するため、長時間使用に不利となり、そして電力を再充電するには限界があり、過負荷の状況があってはいけず、そうでなければ、断電が引き起こされるので、電池の過負荷も問題の一つであり、しかも従来の技術では、昇降位置決め測定及び歪み測定がなく、四辺の軌道間隔距離測定もないし、交通乗物を回転させた後に再び軌道に整列させることが困難になる問題を招く結果となり、それで交通乗物の脱線後に阻害がなくなり、脱線距離が大きいと制限できなくなるため、危険性を大きく増すことになる。
【考案の概要】
【考案が解決しようとする課題】
【０００３】
本考案の目的は、交通乗物を鉄道線路上で１８０度回転できると共に、前、後軸動力駆動装置及びいくつかの檢知と探知器を有して安全を確保できると共に、脱線位置制限器及びエアバッグ支持を有して、電力を再充電して飽和になった後に放電装置で放電を行うことにより、正常走行と運転安全を確保できる、軌道式両用足踏み交通乗物を提供することである。
【課題を解決するための手段】
【０００４】
上記の目的を達成するために、本考案に係る軌道式両用足踏み交通乗物は、交通乗物を備え、人力または電力で駆動されて鉄道線路上に走行し、交通乗物を鉄道線路上において、直接に動力シリンダとしての昇降回転盤セットにより突上げ上昇させた後に、人員が交通乗物を１８０度旋回してから下降することで、鉄道線路上での往復走行をよくし、さらに前後輪伝動、エアバッグ支持、昇降及び落下防止檢知、歪み検知及び四辺の軌道合致探知器が設けられ、両辺に踏台及び脱線位置制限器が設けられ、発電機は、下り坂に発電して電力を再充電でき、充電が飽和すると、放電装置から放電を行うことにより、過負荷による断電の問題を避けることができ、前、後軸動力駆動装置は、傾斜度がさらに高い鉄道線路上での走行をよくして十分な馬力を有する。
【考案の効果】
【０００５】
本考案によれば、前、後軸で交通乗物を駆動することができると共に、複数個の安全検知が設けられることにより、交通乗物の使用安全性に役立つことができる。
【図面の簡単な説明】
【０００６】
【図１】本考案の実施例の斜視図である。
【図２】本考案の実施例に制御ハンドルを装着した後の斜視図である。
【図３】本考案の実施例の前面平面図である。
【図４】本考案の実施例の底面平面図である。
【図５】本考案の実施例の底面方向斜視図である。
【図６】本考案の実施例に遮蔽幌を装着した後の側面平面図である。
【図７】本考案の実施例の軌道上における方向転換動作の斜視図である。
【図８】本考案の実施例の軌道上における底面方向斜視図である。
【図９】本考案の実施例の軌道上における前面平面図である。
【考案を実施するための形態】
【０００７】
図１〜図９に示すように、本考案に係る軌道式両用足踏み交通乗物は、交通乗物１０を備え、交通乗物１０において、車台２０上にいくつかの座席２１が設けられ、車台２０の下方に枢設される前、後輪軸２２，２３は、連通式輪軸を採用し、前、後輪軸２２，２３上に計４個の軌道輪２４が設けられ、前輪軸２２が、いくつかの第１チェーンホイールセット２２１を介していくつかの第１足踏み装置２５に連結され、後輪軸２３が、いくつかの第２チェーンホイールセット２３１を介していくつかの第２足踏み装置２６に連結され、車台２０の下方に昇降回転盤セット３０が設けられ、昇降回転盤セット３０の底面にシャーシ３１が設けられ、シャーシ３１の幅が軌道８４上に丁度当接し得る程度の幅であり、発電機４０は、単一方向軸受チェーンホイールセット４１を介して前輪軸２２に連結され、動力モータ５０は、第３チェーンホイールセット５１を介して後輪軸２３に連結され、電池６０は、動力モータ５０及び発電機４０に電気的に接続され、車台２０にはシャーシ３１に向けて４本の支柱エアバッグ２７が設けられ、４本の支柱エアバッグ２７は、シャーシ３１を支持収合するために用いられ、４本の支柱エアバッグ２７は、弾性疲労の問題がなく、長時間使用に適合され、かつ損壊しにくく、前、後輪軸２２，２３の間を動力連結する前、後軸動力駆動装置７０が設けられることで、傾斜度が高い軌道８４上に適用され、昇降回転盤セット３０の昇降位置に複数個の昇降及び落下防止檢知８１が設けられることで、昇降回転盤セット３０が最上端または最下端に到達した時、あるいはシャーシ３１が落下する時に断電するように制御し、車台２０の四辺角部にそれぞれ軌道合致探知器８２が設けられ、交通乗物１０の方向転換後に、４個の軌道輪２４を正確な角度に沿って２本の軌道８４上に下降させることが確保され、正常走行及び運転安全を確保できる。
【０００８】
図９に示すように、その内、車台２０の両側にそれぞれ踏台２８が設けられ、踏台２８を介して人員が交通乗物１０から進出するのに役立てる。
【０００９】
図９に示すように、その内、踏台２８の底面に脱線位置制限器２８１が設けられ、前記脱線位置制限器２８１は、角棒形状に形成されると共に、踏台２８の底平面から突出している。軌道輪２４の脱線時に、軌道輪２４から脱線位置制限器２８１までの間の間隔距離が小さくなるので、交通乗物１０が制限されてしまい、遠すぎる距離を滑り出すことがなく、使用安全性を確保できる。
【００１０】
図３に示すように、その内、電池６０に放電装置６１が電気的に接続され、電池６０の満充電後に、放電装置６１から放電を行うことで、電池６０の過負荷による断電を防止することができる。
【００１１】
図４に示すように、その内、前、後軸動力駆動装置７０は、第１軸７１と、第２軸７２と、第１軸７１上に組み付けられて前輪軸２２と連結される第４チェーンホイールセット７３と、第２軸７２上に組み付けられて後輪軸２３と連結される第５チェーンホイールセット７４と、第１軸７１と第２軸７２とを相互に連結して設けられる第６チェーンホイールセット７５とを含み、第６チェーンホイールセット７５の設置により、昇降回転盤セット３０の位置から回避される。
【００１２】
図２に示すように、その内、車台２０上に制御ハンドル２９が装着される。
【００１３】
図６に示すように、その内、車台２０の上方に遮蔽幌１１が装着される。
【００１４】
図５に示すように、その内、車台２０と昇降回転盤セット３０との間に、車台２０が歪む時、警報を提示させる歪み検知８３が設けられる。
【符号の説明】
【００１５】
１０        交通乗物
１１        遮蔽幌
２０        車台
２１        座席
２２        前輪軸
２２１      第１チェーンホイールセット
２３        後輪軸
２３１      第２チェーンホイールセット
２４        軌道輪
２５        第１足踏み装置
２６        第２足踏み装置
２７        支柱エアバッグ
２８        踏台
２８１      脱線位置制限器
２９        制御ハンドル
３０        昇降回転盤セット
３１        シャーシ
４０        発電機
４１        単一方向軸受チェーンホイールセット
５０        動力モータ
５１        第３チェーンホイールセット
６０        電池
６１        放電装置
７０        前、後軸動力駆動装置
７１        第１軸
７２        第２軸
７３        第４チェーンホイールセット
７４        第５チェーンホイールセット
７５        第６チェーンホイールセット
８１        昇降及び落下防止檢知
８２        軌道合致探知器
８３        歪み検知
８４        軌道
【図１】
0003223569.tif 000003
【図２】
0003223569.tif 000004
【図３】
0003223569.tif 000005
【図４】
0003223569.tif 000006
【図５】
0003223569.tif 000007
【図６】
0003223569.tif 000008
【図７】
0003223569.tif 000009
【図８】
0003223569.tif 000010
【図９】
0003223569.tif 000011